(57)【特許請求の範囲】
【請求項１】
任意の幅の長尺ラベルを給送する手段と該ラベルの表面に印字する手段、および長尺フィルム状のデータキャリアインナーを給送する手段と該データキャリアインナーにデータを書込む手段を備え、印字された該長尺ラベルとデータが書込まれた該データキャリアインナーとを同一位置に誘導する手段、該ラベルに印字された位置の裏面に該データキャリアインナーを重ね合わせて接着する手段、ならびに重ね合わせて接着された長尺フィルム状の該データキャリアインナーを該ラベルと共に任意の長さで切断する手段を有することを特徴とする無線認識データキャリアラベルの製造装置。
【請求項２】
前記長尺ラベルは裏面に接着剤が施され、その上に剥離シートが重ね合わされ、前記印字手段と誘導手段との間にその剥離シートを剥離する手段が配置され、前記接着手段が圧接手段であることを特徴とする請求項１に記載の無線認識データキャリアラベルの製造装置。
【請求項３】
前記長尺フィルム状のデータキャリアインナーは裏面に接着剤が施され、該裏面上に剥離シートが重ね合わされ、前記書込手段と誘導手段との間にその剥離シートを剥離する手段が配置され、前記接着手段が圧接手段であることを特徴とする請求項１または２に記載の無線認識データキャリアラベルの製造装置。
【請求項４】
任意の幅の長尺ラベルの表面に印字し、長尺フィルム状のデータキャリアインナーにデータを書込んだ後、印字された該長尺ラベルとデータが書込まれた該データキャリアインナーとを同一位置に誘導して該長尺ラベルに印字された位置の裏面に該データキャリアインナーを重ね合わせ接着し、重ね合わせて接着された長尺フィルム状の該データキャリアインナーを該ラベルと共に任意の長さで切断することを特徴とする無線認識データキャリアラベルの製造方法。
【発明の詳細な説明】
【０００１】
【発明の属する技術分野】
本発明は、無線通信で読み取ったり書込んだりする無線認識データキャリアラベルを製造する装置に関するものである。
【０００２】
【従来の技術】
特定な部屋への入退室管理、スキー場のリフト券、鉄道の乗車券、駐車場の入出車管理、高速道路の通行券、電子マネー、商品の万引き防止などにリーダライタ／データキャリア（質問器／応答器）のシステムが使用されている。リーダライタとデータキャリアとの間は無線通信で接続されている。リーダライタは、ホストコンピュータと有線または無線で接続された固定設置機器であり、その指示にもとづいてデータキャリアのデータを読み取り、データキャリアに対してデータを書込む。データキャリアは、人が携帯したり、商品や自動車等に取付けられて移動する。
【０００３】
データキャリアとして、無線通信でデータの読み取りや書込みが可能なデータキャリアーインナーと、印字されているラベルとが接着された様々な大きさのラベルが、汎用されている。
【０００４】
このデータキャリアラベルは、従来、図４に示すように、ＬＣ共振回路、メモリー、およびアンテナがプリントされている長尺フィルム状のデータキャリアインナー６１と、長尺ラベル６２とを、重ね合わせて接着し、ロール状に巻取った後、順次引出して給送しながら、電波発振器６３から発振した電波によりデータキャリアインナー６１にデータを書込み、次いで印字ヘッド６４で長尺ラベル６２に印字し、最後に適当な大きさに切断して、製造されていた。
【０００５】
しかし、予めデータキャリアインナーと長尺ラベルとを重ね合わせてロールを調製しなければならないのは面倒である。さらに、データキャリアインナーが同じであっても所望の大きさのデータキャリアラベルに合わせて、データキャリアインナーと適当な幅の長尺ラベルとを貼り付けた何種類ものロールを調製しておかなければならず煩雑である。また、データキャリアインナーのＬＣ共振回路やメモリーやアンテナの凹凸のために、長尺ラベルへの印字が濃淡を生じて不鮮明になってしまう。
【０００６】
【発明が解決しようとする課題】
本発明は前記の課題を解決するためになされたもので、データの書込まれたデータキャリアインナーと鮮明に印字されているラベルとが任意の位置に重ね合わされた無線認識データキャリアラベルを自在な大きさで製造できる、簡便な装置および方法を提供することを目的とする。
【０００７】
【課題を解決するための手段】
前記の目的を達成するためになされた本発明の無線認識データキャリアラベルの製造装置は、実施例に対応する図１に示すように、任意の幅の長尺ラベル１２を給送する手段１６と該ラベル１２の表面に印字する手段１３・１４、および長尺フィルム状のデータキャリアインナー３２を給送する手段３６と該データキャリアインナー３２にデータを書込む手段３４を備え、印字された該長尺ラベル１２とデータが書込まれた該データキャリアインナー３２とを同一位置に誘導する手段１７、該ラベル１２に印字された位置の裏面に該データキャリアインナー３２を重ね合わせて接着する手段１８、ならびに重ね合わせて接着された長尺フィルム状の該データキャリアインナーを該ラベルと共に任意の長さで切断する手段２０を有している。
【０００９】
前記長尺ラベル１２は裏面に接着剤が施され、その上に剥離シート２３が重ね合わされ、前記印字手段１４と誘導手段１７との間にその剥離シート２３を剥離する手段２２が配置され、前記接着手段１８が圧接手段であることが好ましい。
【００１０】
前記長尺フィルム状のデータキャリアインナー３２は裏面に接着剤が施され、該裏面上に剥離シート４３が重ね合わされ、前記書込手段３４と誘導手段１７との間にその剥離シート４３を剥離する手段４２が配置され、前記接着手段１８が圧接手段であってもよい。
【００１１】
この装置は、データキャリアインナーを取り替えることなく、適当な幅の長尺ラベルを取り替える簡便な操作だけで、所望の大きさのデータキャリアラベルを自在に製造できるものである。また、印字は綺麗で鮮明である。
【００１２】
本発明の無線認識データキャリアラベルの製造方法は、任意の幅の長尺ラベル１２の表面に印字し、長尺フィルム状のデータキャリアインナー３２にデータを書込んだ後、印字された該長尺ラベル１２とデータが書込まれた該データキャリアインナー３２とを同一位置に誘導して該長尺ラベル１２に印字された位置の裏面に該データキャリアインナー３２を重ね合わせ接着し、重ね合わせて接着された長尺フィルム状のデータキャリアインナー３２を長尺ラベル１２と共に任意の長さで切断するというものである。
【００１４】
【発明の実施の形態】
本発明を適用する無線認識データキャリアラベルの製造装置について詳細に説明する。
【００１５】
図１は、無線認識データキャリアラベルの製造装置の実施例を示す骨格図である。
【００１６】
この装置は、長尺ラベル１２の給送経路途中に、印字手段である印字ヘッド１４およびインクリボン１３と、給送手段である対のラベル給送ローラー１６とがこの順で配置され、長尺フィルム状のデータキャリアインナー３２の給送経路途中に、データ書込手段である電波発振器３４と、給送手段である対のデータキャリアインナー給送ローラー３６とがこの順で配置され、印字された長尺ラベル１２とデータの書込まれたデータキャリアインナー３２とを、同一位置に誘導する手段である誘導ローラー１７と、重ね合わせて接着する手段である対の圧接ローラー１８とがこの順で配置されたものである。
【００１７】
長尺ラベル１２は、紙製であり、その裏面に接着剤が施され、接着剤上に剥離シート２３が重ね合わされている。長尺ラベル１２は、巻き取られてロール１１となっている。このロール１１は、軸支持されている。
【００１８】
長尺ラベル１２は、このロール１１から引出されている。引出された長尺ラベル１２は、その表面に文字を印字する印字ヘッド１４へ至っている。印字ヘッド１４は、インクリボン１３を介して、長尺ラベル１２の表面に向いて配置されている。印字台１５が、長尺ラベル１２の裏側に印字ヘッド１４と対峙して配置されている。
【００１９】
印字された長尺ラベル１２は、対の長尺ラベル給送ローラー１６で挟まれ給送されている。この対のローラー１６は、引寄せられている。片方のローラー１６の軸はモータ（不図示）に繋がっている。
【００２０】
この対のローラー１６から給送された長尺ラベル１２は、その剥離シート２３を剥離する手段である剥離ガイド板２２に当たり緊張しつつ、鈍角な山折りに屈曲している。剥離シート２３は、この剥離ガイド板２２で鋭角な山折りに屈曲されて、長尺ラベル１２から剥離している。剥離したこのシート２３は、巻取ロール２４に巻き取られている。
【００２１】
剥離ガイド板２２で屈曲された長尺ラベル１２が、誘導ローラー１７に至り、緊張している。
【００２２】
一方、データキャリアインナー３２は、ＬＣ共振回路とメモリーとアンテナとがプリントされた長尺フィルム状であり、その裏面に接着剤が施され、接着剤上に剥離シート４３が重ね合わされている。データキャリアインナー３２は巻き取られてロール３１となっている。このロール３１は軸支持されている。
【００２３】
データキャリアインナー３２は、このロール３１から引出されている。引出されたデータキャリアインナー３２は、それにプリントされているメモリーへデータを書込む電波発振器３４に至っている。電波発振器３４は、データキャリアインナー３２に向いて配置されている。
【００２４】
データの書込まれたデータキャリアインナー３２は、対のデータキャリアインナー給送ローラー３６で挟まれ給送されている。この対のローラー３６は、引寄せられている。片方のローラー３６はモータ（不図示）に繋がっている。
【００２５】
この対のローラー３６から給送されたデータキャリアインナー３２の剥離シート４３が、剥離する手段である剥離ガイド板４２に当たっている。剥離シート４３は、この剥離ガイド板４２で山折りに屈曲されて、データキャリアインナー３２から剥離している。剥離したこのシート４３は、巻取ロール４４に巻き取られている。
【００２６】
剥離シート４３の剥離したデータキャリアインナー３２は、誘導ローラー１７に至っている。なお、剥離シート４３の剥離が不要の場合、剥離ガイド板４２および巻取ロール４４がなくてもよい。
【００２７】
誘導ローラー１７により長尺ラベル１２は湾曲されて、データキャリアインナー３２と同一位置に誘導されて重ね合わされている。
【００２８】
重ね合わされた長尺ラベル１２とデータキャリアインナー３２とが、対の圧着ローラー１８に挟まれ送り出されている。この対のローラー１８は、引寄せられている。片方のローラー１８はモータ（不図示）に繋がっている。
【００２９】
圧着されて送り出された長尺ラベル１２とデータキャリアインナー３２とを、弛まないよう送り出す補助ローラー１９と、切断するカッター２０とが設けられている。
【００３０】
圧接ローラー１８や補助ローラー１９は、ポリテトラフルオロエチレンのような優れた接着剤剥離性の樹脂で被われている。
【００３１】
なお、剥離シート４３の剥離が不要の場合、図２に示すように、圧着されて送り出された長尺ラベル１２とデータキャリアインナー３２とを、長尺のまま巻き取る巻取ロール５２があってもよい。
【００３２】
無線認識データキャリアラベルの製造装置は、以下のように使用される。
【００３３】
長尺ラベル給送ローラー１６に繋がっているモータを駆動させ、このローラー１６を回転させる。すると、長尺ラベル１２が、ロール１１から順次引出される。印字ヘッド１４に電圧をかけると、インクリボン１３のインクで、長尺ラベル１２表面に印字される。
【００３４】
データキャリアインナー給送ローラー３６に繋がっているモータを駆動させ、このローラー３６を長尺ラベル給送ローラー１６と同期して回転させる。すると、データキャリアインナー３２が、ロール３１から順次引出される。電波発振器３４から電波を発振すると、データキャリアインナー３２のアンテナが電波を捉え、その電波と共振してＬＣ共振回路に誘導電流が生じ、その電流により所定のデータがデータキャリアインナー３２のメモリーに書込まれる。
【００３５】
圧接ローラー１８に繋がっているモータを駆動させ、圧接ローラー１８を給送ローラー１６・３６と同期して回転させる。すると、誘導ローラー１７によって重ね合わされた長尺ラベル１２とデータキャリアインナー３２とが、引寄せ合っている対の圧接ローラー１８によってしっかりと圧接されつつ、送り出される。圧接ローラー１８は、表面が剥離性樹脂で被われているので、データキャリアインナー３２の裏面の接着剤が付着しない。接着により長尺ラベル１２とデータキャリアインナー３２とが幾分曲り難くなっており、平坦なまま送り出される。
【００３６】
これが適当な長さだけ送り出されたときに、カッター２０で切断すると、所望の大きさの無線認識データキャリアラベル５０が得られる。
【００３７】
得られた無線認識データキャリアラベル５０は、裏面の粘着剤により、目的の商品５１に貼付される。
【００３８】
前記の実施例の他、無線認識データキャリアラベルの製造装置は、データキャリアインナー３２の剥離シート４３を剥離するガイド板４２は、圧接ローラー１８とカッター２０との間に配置されているものであってもよい。
【００３９】
長尺ラベルに粘着剤が施されていなくてもよい場合には、データキャリアインナー３２は裏面に粘着剤が施される。
【００４０】
データキャリアインナー３２は、裏面に接着剤と剥離シート４３とを有していなくてもよい。
【００４１】
圧接ローラー１８が、給送ローラー１６および３６を兼ねていてもよい。
【００４２】
また、誘導ローラー１７と圧接ローラーと１８に代えて、図３に示すように、給送ローラー３６で送り出されたデータキャリアインナー３２を小片５３に切断するカッター４０と、誘導手段および接着手段を兼ねており、この小片５３を載せて上下動することにより長尺ラベル１２に圧接するピストン２８と、この小片５３を長尺ラベル１２に均等にしっかり圧接するための圧接台２５と、この小片５３が圧接されている長尺ラベルを適当な大きさに切断するカッター２０とを、有していてもよい。なお、図２と同様に、圧着されて送り出された長尺ラベル１２とデータキャリアインナー３２とを、長尺のまま巻き取る巻取ロールがあってもよい。
【００４３】
【発明の効果】
以上、詳細に説明したように、本発明の無線認識データキャリアラベルの製造装置を用いると、データキャリアインナーを取り替えることなく、長尺ラベルを取り替えるだけで、自在な大きさのデータキャリアラベルを簡便に製造することができる。予めデータキャリアインナーと長尺ラベルとを重ね合わせた種々の幅のロールを調製する必要がなく、在庫管理が簡便である。
【００４４】
さらに、長尺ラベルに印字してからデータキャリアインナーを接着させるので、印字が鮮明で綺麗である。
【図面の簡単な説明】
【図１】本発明を適用する無線認識データキャリアラベルの製造装置の実施例を示す骨格図である。
【図２】本発明を適用する無線認識データキャリアラベルの製造装置の別な実施例を示す要部骨格図である。
【図３】本発明を適用する無線認識データキャリアラベルの製造装置の別な実施例を示す要部骨格図である。
【図４】本発明を適用外の無線認識データキャリアラベルの製造装置の要部斜視図である。
【符号の説明】
１１は長尺ラベルロール、１２は長尺ラベル、１３はインクリボン、１４は印字ヘッド、１５は印字台、１６は長尺ラベル給送ローラー、１７は誘導ローラー、１８は圧着ローラー、１９は補助ローラー、２０はカッター、２２は剥離ガイド板、２３は剥離シート、２４は巻取ロール、２５は圧接台、２８はピストン、３１はデータキャリアインナーロール、３２はデータキャリアインナー、３４は電波発振器、３６はデータキャリアインナー給送ローラー、４０はカッター、４２は剥離ガイド板、４３は剥離シート、４４は巻取ロール、５０はデータキャリアラベル、５１は商品、５２は巻取ロール、５３はデータキャリアインナー小片、６０はデータキャリアラベル、６１はデータキャリアインナー、６２は長尺ラベル、６３は電波発振器、６４は印字ヘッドである。
【図１】
0004040311.tif 000002
【図２】
0004040311.tif 000003
【図３】
0004040311.tif 000004
【図４】
0004040311.tif 000005